(57)【要約】【課題】本発明は、着用時における骨盤矯正ベルトのずり上りを確実に防止せしめ、骨盤を常に正しい位置に安定せしめて矯正することが出来る、骨盤矯正ベルトを提供するものである。【解決手段】腸骨稜および仙腸関節を覆う上段ベルト片と、股関節を覆う下段ベルト片とにより構成されてなる骨盤矯正ベルトにおいて、上記下段ベルト片には所定間隔をおいて両側一対の弾性布地製大腿部用取付け部材が吊設状に設けられた構成よりなる。【選択図】　　　図１
2004024437.tif 000002
【特許請求の範囲】
【請求項１】
弾性を有する布地製でかつ主として腸骨稜および仙腸関節を覆う上段ベルト片と、同弾性を有する布地製でかつ主として股関節を覆う下段ベルト片とを備え、該上下段ベルト片の両端部は各々重合状態に結合されると共に、同中間部分は複数の弾性を有する布地製連結片により互いに連結され、かつ、上下段ベルト片の両端結合部どうしは係着部材を介して着脱自在に連結すべく構成されてなる骨盤矯正ベルトにおいて、上記下段ベルト片には所定間隔をおいて両側一対の弾性布地製大腿部用取付け部材が吊設状に設けられてなることを特徴とする、骨盤矯正ベルト。
【請求項２】
大腿部用取付け部材は略テ−パ筒状に形成されると共に、吊設片を介して下段ベルト片に着脱自在に吊設されてなることを特徴とする、請求項１記載の骨盤矯正ベルト。
【請求項３】
大腿部用取付け部材は略短尺帯状に形成されると共に、その上端部が下段ベルト片に吊設状に縫着され、かつ、同両端部どうしが係着部材を介して係着自在とされてなることを特徴とする、請求項１記載の骨盤矯正ベルト。
【発明の詳細な説明】
【０００１】
【発明の属する技術分野】
本発明は、骨盤矯正ベルトに関するものである。
【０００２】
【従来の技術】
一般に、現代人の大半は、運動不足による筋肉の弱体化と悪い姿勢の多い生活習慣により骨盤が開いて後ろに傾斜しており、これに起因して腰痛をはじめ様々な慢性的病を併発することが指摘されているものである。
ところで、かかる骨盤を矯正するベルトとしては、本発明者が先に開示した骨盤矯正ベルト、即ち、弾性を有する布地製でかつ主として腸骨稜および仙腸関節を覆う上段ベルト片と、同弾性を有する布地製でかつ主として股関節を覆う下段ベルト片とを備え、該上下段ベルト片の両端部は各々重合状態に結合されると共に、同中間部分は複数の弾性を有する布地製連結片により互いに連結され、かつ、上下段ベルト片の両端結合部どうしは係着部材を介して着脱自在に連結すべく構成された基本構成を有する骨盤矯正ベルトが知られている（特開平１１−５６８８７号公報、特開２００１−８７２９５号公報参照）。
そして、上述のごとく構成された従来例は、上下段ベルト片を各々人体の腸骨稜・仙腸関節・股関節個所に当てがいつつ、上下段ベルト片の両端結合部どうしを係着部材により適度の締付け力でもって連結することにより装着し、骨盤を常に正しい位置に安定せしめて矯正せしめるものである。
【０００３】
【発明が解決しようとする課題】
しかしながら、上記従来例は、単に２本の上下段ベルト片でもって人体の腸骨稜・仙腸関節・股関節個所をサポ−トせしめるものであるから、以下の問題点を有するものである。
即ち、人体の腸骨稜・仙腸関節・股関節個所は、全身の体重を受ける個所であると共に、着用時の立ち居振舞いの動作中で最も複雑な形状を呈する部分であるため、着用中に骨盤矯正ベルトがずり上りやすく、装着せしめても一日の内に何度も骨盤矯正ベルトの位置を正しい位置に補正しなければならないという面倒さや煩しさがあり、体型などによって多少の違いはあるものの、安定的に装着し続けることが出来ないという問題を有するものである。
【０００４】
本発明はかかる従来例の問題点を一挙に解決しようとするもので、着用時における骨盤矯正ベルトのずり上りを確実に防止せしめ、骨盤を常に正しい位置に安定せしめて矯正することが出来る、骨盤矯正ベルトを提供するにある。
【０００５】
【課題を解決するための手段】
上記の目的を達成するため、本発明の請求項１記載の発明は、弾性を有する布地製でかつ主として腸骨稜および仙腸関節を覆う上段ベルト片と、同弾性を有する布地製でかつ主として股関節を覆う下段ベルト片とを備え、該上下段ベルト片の両端部は各々重合状態に結合されると共に、同中間部分は複数の弾性を有する布地製連結片により互いに連結され、かつ、上下段ベルト片の両端結合部どうしは係着部材を介して着脱自在に連結すべく構成されてなる骨盤矯正ベルトにおいて、上記下段ベルト片には所定間隔をおいて両側一対の弾性布地製大腿部用取付け部材が吊設状に設けられてなることを特徴とする、骨盤矯正ベルトを要旨とするものである。
【０００６】
上記請求項１記載の骨盤矯正ベルトにおいて、大腿部用取付け部材は略テ−パ筒状に形成されると共に、吊設片を介して下段ベルト片に着脱自在に吊設されている。
【０００７】
また、請求項１記載の骨盤矯正ベルトにおいて、大腿部用取付け部材は略短尺帯状に形成されると共に、その上端部が下段ベルト片に吊設状に縫着され、かつ、同両端部どうしが係着部材を介して係着自在とされている。
【０００８】
【発明の実施の形態】
以下に、本発明の実施の形態を図面に示す一実施例に基づいて説明する。
図１〜図３は本発明の第１実施例を示すもので、同図中、１ａは骨盤矯正ベルト、２は該骨盤矯正ベルト１ａを構成する上段ベルト片で、該上段ベルト片２は弾性を有する布地により腸骨稜および仙腸関節を覆う広さと長さを備えた略帯状に形成されている。３は上記上段ベルト片２の両端部に各々重合状態に縫着して結合された下段ベルト片で、該下段ベルト片３は弾性を有する布地により股関節を覆う広さと長さを備えた略帯状に形成されている。そして、上記の上下段ベルト片２・３を形成する布地材は、圧力を加えても血行を阻害しにくい編み立て構造とされている。４・５は上下段ベルト片２・３の結合部どうしを相互に連結せしめるべく両端結合部に各々取付けられた雄カギホックと雌カギホック、６は上下段ベルト片２・３の中間部分を所定間隔でもって連結せしめる両側一対の弾性布地製連結片、７・８は装着時の体型にフィットせしめるべく上段ベルト片２の中央部上縁と下段ベルト片３の中央部下端縁に各々形成されたセンタ−ダ−ツ、９は上段ベルト片２の中央部内側に形成されたポケット部、１０は該ポケット部９に収納された仙骨矯正ブロック（仙骨サポ−タ−）で、該仙骨矯正ブロック１０には遠赤外線放射セラミックスなどよりなる生体活性化エネルギ−放出セラミックス１１が設けられている。１２は下段ベルト片３の両端部に各々形成されたベルト装着圧吸収用長孔（パワ−アブソ−バ−）である。
【０００９】
１３ａは着用時における骨盤矯正ベルト１ａのずり上りを防止せしめるべく下段ベルト片３の両端部に各々吊設自在とされた両側一対の大腿部用取付け部材で、該取付け部材１３ａは弾性を有する布地材により略テ−パ筒状に形成されている。１４は該両側の取付け部材１３ａ上端部に各々突設された吊設片、１５は該各吊設片１４の一面に密に突設された鉤止突起で、該鉤止突起１５は下段ベルト片３の両端外面に密に突設されたル−プ状の繊維糸１６に係脱自在とされている。なお、上記鉤止突起１５とル−プ状の繊維糸１６とは所謂マジックテ−プ（登録商標）を構成するものとされている。その他、Ｍは人体を示す。
【００１０】
次に、本発明による骨盤矯正ベルト１ａの使用方法を図２および図３に基づいて説明する。
まず、図２に示すように、両側の取付け部材１３ａを各々人体Ｍの大腿部に挿着せしめる。このさい、取付け部材１３ａは略テ−パ筒状に形成されているから、大腿部にフィットし、確実に挿着せしめることが出来る。
しかるのち、骨盤矯正ベルト１ａを人体Ｍの後側より腰に沿わせて当てがいつつ、軽く巻き付ける。このさい、骨盤矯正ベルト１ａの両端結合部を無伸張状態下に人体Ｍの前に合せた状態で、両者間の間に約１０ｃｍ程度の間隔をあけるのが好ましい。次に、骨盤矯正ベルト１ａを伸張せしめつつ両端の結合部を重ね合せ、雄カギホック４と雌カギホック５とを掛け合せて互いに連結することにより着用する。このさい、下段ベルト片３の約１／３が人体Ｍのヒップと足の境目から足の方にかかるように左右に強く引張り、前に回して掛止めるとよい。そして、人体Ｍの前では、適度の強さの位置で留め、骨盤矯正ベルト１ａの両端結合部を恥骨の上にセットする。こうして、上段ベルト片２により腸骨稜および仙腸関節を、また、下段ベルト片３により股関節をカバ−せしめる。なお、骨盤矯正ベルト１ａの装着により、上段ベルト片２の中央部内側の仙骨矯正ブロック１０に保持された遠赤外線放射セラミックスなどによる生体活性化エネルギ−放出セラミックス１１が丁度仙骨の背面、即ち、仙骨の真上に位置するようにする。
【００１１】
そして、骨盤矯正ベルト１ａの装着が完了すると、図３に示すように、吊設片１４の鉤止突起１５を対応する下段ベルト片３のル−プ状繊維糸１６に係着せしめ、予め人体Ｍの大腿部に挿着せしめた両側の取付け部材１３ａを各々骨盤矯正ベルト１ａに吊設状に連結せしめる。このさい、下段ベルト片３に両側の取付け部材１３ａを吊設状に連結せしめるものであるから、着用時における立ち居振舞いの動作中においても骨盤矯正ベルト１ａのずり上りを確実に防止せしめ、骨盤を常に正しい位置に安定せしめて矯正せしめることが出来る。
なお、用便時などにおいて、骨盤矯正ベルト１ａを取付け部材１３ａより解放せしめる必要がある場合には、鉤止突起１５とル−プ状繊維糸１６との係着を解き、骨盤矯正ベルト１ａをフリ−状態にするとよい。
【００１２】
図４は本発明に係る骨盤矯正ベルト１ｂの第２実施例を示すもので、個人差による大腿部の大小に対応せしめるべく、大腿部用取付け部材１３ｂが略短尺帯状に形成されると共に、その上端部が下段ベルト片３に吊設状に縫着され、かつ、同両端部どうしが鉤止突起１７・ル−プ状繊維糸１８より構成されたマジックテ−プ（登録商標）により係着自在とされた点が第１実施例と相違し、その他の部分は同一であり、同一符号は同一部分を示す。
【００１３】
そして、上述のごとく構成された骨盤矯正ベルト１ｂは、まず、第１実施例と同様の操作により上下段ベルト片２・３を各々人体Ｍの腸骨稜・仙腸関節・股関節個所に当てがいつつ、上下段ベルト片２・３の両端結合部どうしを雌雄カギホック４・５により適度の締付け力でもって連結することにより装着せしめたのち、両側の取付け部材１３ｂを各々大腿部の大きさに応じてその外周に適正に巻き付け、鉤止突起１７・ル−プ状繊維糸１８を介して係着せしめる。このさい、下段ベルト片３に吊設状に縫着せしめた取付け部材１３ｂを大腿部に取付けるものであるから、着用時における立ち居振舞いの動作中においても骨盤矯正ベルト１ｂのずり上りを確実に防止せしめ、骨盤を常に正しい位置に安定せしめて矯正せしめることが出来る。
なお、用便時などにおいて、骨盤矯正ベルト１ｂを大腿部より解放せしめる必要がある場合には、鉤止突起１７とル−プ状繊維糸１８との係着を解き、取付け部材１３ｂをフリ−状態にするとよい。
【００１４】
なお、上記実施例において、取付け部材１３ａの吊設片１４と下段ベルト片３、及び取付け部材１３ｂ両端部どうしの係着は鉤止突起１５・１７とル−プ状繊維糸１６・１８とより構成されたマジックテ−プ（登録商標）により行うものとされているが、これに限定されるものでなく、例えばスナップボタンなど公知の係着部材を採択使用することが出来るものである。また、上下段ベルト片２・３両端結合部の係着部材として雌雄カギホック４・５が示されているが、これに限定されるものでなく、例えば面ファスナ−、スナップボタン、バックルなど公知の係着部材を採択使用することが出来るものである。
【００１５】
【発明の効果】
本発明によれば以上の次第で、骨盤矯正ベルトを構成する下段ベルト片に所定間隔をおいて両側一対の弾性布地製大腿部用取付け部材が吊設状に設けられているから、骨盤矯正ベルトおよび取付け部材を各々人体の腰部と大腿部に装着せしめることにより骨盤矯正ベルトの移動を確実に阻止することが出来るものであって、ひいては、着用時における立ち居振舞いの動作中においても骨盤矯正ベルトのずり上りを確実に防止せしめ、骨盤を常に正しい位置に安定せしめて矯正せしめることが出来るものである。
また、大腿部用取付け部材は略テ−パ筒状に形成されると共に、吊設片を介して下段ベルト片に着脱自在に吊設するものとされているから、人体の大腿部にフィットしてその装着を確実に行うことが出来るのみならず、着用中においても必要に応じて適宜取付け部材の吊設を解き、用便などに対処せしめることが出来るものである。
さらに、大腿部用取付け部材は略短尺帯状に形成されると共に、その上端部が下段ベルト片に吊設状に縫着され、かつ、同両端部どうしが係着部材を介して係着自在とされているから、個人差による大腿部の大きさに応じて適正に装着せしめることが出来るのみならず、着用時においても取付け部材両端部の係着を解き、用便などに対処せしめることが出来るものである。
【図面の簡単な説明】
【図１】本発明の第１実施例を示す正面図である。
【図２】第１実施例の骨盤矯正ベルト１ａおよび取付け部材１３ａを各々人体Ｍに装着せしめた状態を示す側面図である。
【図３】第１実施例の骨盤矯正ベルト１ａに取付け部材１３ａを吊設せしめた使用状態を示す側面図である。
【図４】第２実施例の骨盤矯正ベルト１ｂの使用状態を示す側面図である。
【符号の説明】
１ａ・１ｂ　　骨盤矯正ベルト
２　　上段ベルト片
３　　下段ベルト片
４　　雄カギホック
５　　雌カギホック
６　　連結片
１３ａ・１３ｂ　大腿部用取付け部材
１４　吊設片
１５　鉤止突起
１６　ル−プ状繊維糸
１７　鉤止突起
１８　ル−プ状繊維糸
【図１】
2004024437.tif 000003
【図２】
2004024437.tif 000004
【図３】
2004024437.tif 000005
【図４】
2004024437.tif 000006